(57)【要約】【課題】球皿に貯留された遊技球による押圧力による、球抜き部材近傍での遊技球詰まりや、整流器の球送り機能の阻害を防止できる遊技機を提供すること。【解決手段】遊技機は、球皿に貯留された遊技球を整列させて下流へ導く整列流路と、整列流路の下流側に設けられ、整列流路上の遊技球が導かれる整流器と、整列流路に設けられ、整列流路の底部を開放又は閉塞する可動片を備え、整列流路の底部を開放することにより貯留されている遊技球を整流器と異なる経路へ導く球抜き部材と、を有し、可動片上の第１の遊技球と第１の遊技球に上流側から当接する第２の遊技球との第１の当接点と、第１の遊技球と第１の遊技球に下流側で当接する第３の遊技球との第２の当接点と、第１の遊技球が整列流路の側壁と当接する第３の当接点と、を含む面が、第１の遊技球の中心を通る鉛直線上で第１の遊技球の中心よりも上側に位置する。【選択図】図３
2012200548.tif 000002
【特許請求の範囲】
【請求項１】
球皿に貯留された遊技球を整列させて下流へ導く整列流路と、
該整列流路の下流側に設けられ、前記整列流路上の遊技球が導かれる整流器と、
前記整列流路に設けられ、前記整列流路の底部を開放又は閉塞する可動片を備え、前記整列流路の底部を開放することにより貯留されている遊技球を前記整流器と異なる経路へ導く球抜き部材と、を有し、
該球抜き部材の前記可動片上の第１の遊技球と該第１の遊技球に上流側から当接する第２の遊技球との第１の当接点と、前記第１の遊技球と該第１の遊技球に下流側で当接する第３の遊技球との第２の当接点と、前記第１の遊技球が前記整列流路の側壁と当接する第３の当接点と、を含む面が、前記第１の遊技球の中心を通る鉛直線上で前記第１の遊技球の中心よりも上側に位置する、遊技機。
【請求項２】
前記整列流路の前記側壁に前記第１の遊技球が当接する下向きのテーパ面が形成されている、請求項１に記載の遊技機。
【請求項３】
前記整列流路は、前記第１の遊技球が前記第２の遊技球から受ける押圧力の一部を、前記第２の遊技球と当接して負担する天井面を備えている、請求項１又は請求項２に記載の遊技機。
【発明の詳細な説明】
【技術分野】
【０００１】
遊技機に関する。
【背景技術】
【０００２】
パチンコ機においては、弾球された球が遊技領域（遊技盤面上又はその近傍に形成された領域であって、球の流下による遊技や演出を実現するための領域。）を流下して、その流下の過程で球が遊技領域内の遊技釘や風車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このパチンコ機の遊技領域に配置される遊技部品としては、遊技釘等の流路変更部材、遊技球が流入可能な各種入賞口、遊技球の通過を検出する通過ゲート、画像演出を実行する画像表示手段、及び遊技者に対して文字等を表示する表示装置がある。画像表示手段や表示装置によって遊技者に対して種々の情報を表示したり、画像を表示したりして各種演出を提供している。
【０００４】
また、パチンコ遊技機においては、パチンコ機の前面において遊技球を貯留する球皿の周辺には遊技球を遊技盤の遊技領域へ発射する遊技球発射装置、この発射装置に１球ずつ遊技球を供給する整流器等が配置されている。そして、球皿に貯留した遊技球を下皿又はドル箱と呼ばれる別の貯留容器に移動させるための球抜き機構を備えている。
【０００５】
例えば、特許文献１には、球抜孔に整列通路に対し直交する方向にスライドして球抜孔を開閉する球抜き弁を配設したパチンコ機における打球供給皿において、球抜き弁は弾発手段により常時球抜孔を閉塞するように付勢され、また球抜き弁の上方に下端部に球抜き弁と係合する二又状の係合対片を設けたレバー部材とレバー部材の上面に接触状に位置する操作部材とをそれぞれ揺動自在に軸装して配設した遊技機が開示されている。
【先行技術文献】
【特許文献】
【０００６】
【特許文献１】特開２０１１−０２０００２号公報
【発明の概要】
【発明が解決しようとする課題】
【０００７】
しかしながら、このような従来の遊技機においては、球皿に貯留された遊技球の量が多くなると、球抜き部材や整流器に加わる遊技球による押圧力が増大し、球抜き部材の近傍で遊技球が詰まってしまったり、整流器の球送り機能を阻害してしまったりする場合があるという課題がある。
【０００８】
本発明は、上記の事情に鑑みてなされたものであり、球抜き部材近傍での球詰まりを防止するとともに、整流器に付加される遊技球による押圧力を軽減することができる遊技機を提供することを例示的課題とする。
【課題を解決するための手段】
【０００９】
上記の課題を解決するために、本発明の例示的側面としての遊技機は、球皿に貯留された遊技球を整列させて下流へ導く整列流路と、整列流路の下流側に設けられ、整列流路上の遊技球が導かれる整流器と、整列流路に設けられ、整列流路の底部を開放又は閉塞する可動片を備え、整列流路の底部を開放することにより貯留されている遊技球を整流器と異なる経路へ導く球抜き部材と、を有し、球抜き部材の可動片上の第１の遊技球と第１の遊技球に上流側から当接する第２の遊技球との第１の当接点と、第１の遊技球と第１の遊技球に下流側で当接する第３の遊技球との第２の当接点と、第１の遊技球が整列流路の側壁と当接する第３の当接点と、を含む面が、第１の遊技球の中心を通る鉛直線上で第１の遊技球の中心よりも上側に位置する。
【００１０】
また、整列流路の側壁に第１の遊技球が当接する下向きのテーパ面が形成されていてもよい。
【００１１】
また、整列流路は、第１の遊技球が第２の遊技球から受ける押圧力の一部を、第２の遊技球と当接して負担する天井面を備えていてもよい。
【発明の効果】
【００１２】
球抜き部材近傍での球詰まりを防止するとともに、整流器に付加される遊技球による押圧力を軽減することができる遊技機を提供することができる。
【図面の簡単な説明】
【００１３】
【図１】実施の形態に係る遊技機としてのパチンコ機の正面図である。
【図２】図１に示すパチンコ機の背面図である。
【図３】実施の形態に係る遊技機の球皿の整列流路、球抜き部材の可動片及び整流器の一部を示す斜視図である。
【図４】実施の形態に係る遊技機の要部を拡大して示す図である。
【図５】実施の形態に係る遊技機の要部を説明するための図である。
【図６】図５に示す要部の部分拡大断面図である。
【図７】実施の形態に係る遊技機の要部を説明するための図である。
【実施するための形態】
【００１４】
以下、図面を参照して実施の形態について説明する。図１は、実施の形態に係る遊技機としてのパチンコ機２の正面図である。このパチンコ機２は、遊技機枠３、遊技盤ユニット５、前面ガラス（前面透明板）１０、発射ユニット（不図示）、球皿（球皿）１４を有している。発射ユニットは、遊技球２３を１個ずつ遊技盤ユニット５に構成される遊技領域１６に向けて発射可能である。図１には示していないが、球皿１４に貯留された遊技球２３は球皿１４の後方に設けられた整列流路にて１列に整列され、その後方に配置された整流器（不図示）に案内された後、整流器から発射ユニットへ遊技球２３が１個ずつ供給されるように構成されている。球皿１４の整列流路及び整流器については後述する。
【００１５】
本願においては、一般的な方向の定義として、パチンコ機２を正面（遊技者側）から見た場合における方向で上下左右方向を定義する。また、遊技者からパチンコ機２に向かう方向を後方、パチンコ機２から遊技者に向かう方向を前方と定義する。部材やユニット等の詳細部分については、個別に別方向の名称を用いる場合もある。
【００１６】
パチンコ機２は、遊技者が後述する発射ハンドル１５を操作することによって、遊技領域１６に向けて遊技球２３が発射ユニットによって発射され、球の流下による遊技が実現される。なお、遊技機は、パチンコ機２の他にパチンコ式スロットマシン機、コインゲーム機等のアーケードマシン、各種ゲーム機を概念することができ、要するに、遊技球の流下による遊技を実現する遊技領域を有するあらゆる遊技機が含まれる。なお、弾球遊技機においても、アレンジボール機、雀球機等の組合せ式遊技機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。
【００１７】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技球用の経路等各種機構部品が配置され、遊技機枠３によって周囲側面及び前方又はそれに加えて後方からのパチンコ機２内部側への不正アクセスが防止されるようになっている。
【００１８】
パチンコ機２の周囲を囲む外枠４、その内側にヒンジ部２２によって前方開閉可能に揺動支持されて遊技盤ユニット５を保持する機枠９、機枠９の前方にヒンジ部２２によって前方開閉可能に揺動支持され前面ガラス１０及びその周囲を装飾する装飾部材３２を保持する装飾枠、を有して遊技機枠３が構成される。なお、前面ガラス１０は、遊技機枠３内部側に保持された遊技盤６を前方から遊技者が視認することができるようにするための透明部材である。
【００１９】
前面ガラス１０は、遊技盤６に対して一定距離以上離間して配置された透明板である。前面ガラス１０は透明平板ガラスで形成されて装飾枠の裏面側に保持され、遊技盤６との間に遊技球２３が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００２０】
球皿１４は、遊技者の持ち球を貯留するためにパチンコ機２の前面に配置された皿部材であって、球排出ボタン１４ａを有している。
【００２１】
発射ユニットは、整流器（不図示）によって球皿１４から発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、機枠９に取り付けられている。その発射ユニットによる球発射のため、遊技者の操作に基づいて球発射のオンオフ及びその発射強度調整を実現する発射ハンドル１５がパチンコ機２の前面下方に設けられている。
【００２２】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されるとともに、この演出表示装置７ａの表示画面を露出させるための表示開口部が形成されている。センター役物７と演出表示装置７ａとによって所定の識別情報を示すことができるように構成されている。遊技盤６の上部には、遊技の状況に応じた視覚的演出を実行する演出装置５００が、遊技盤６に対して可動的に取り付けられている。
【００２３】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての機枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００２４】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。更に、遊技領域１６には、通過ゲート３３、風車３４等が配置されており、流下する遊技球２３が各入球部材に流入したり、通過ゲート３３を通過したり、風車３４を回転させたりすることによって、遊技球２３による流下遊技を楽しむことができるようになっている。
【００２５】
センター役物７は、演出表示装置７ａの周囲を覆うように構成されており、図柄変動遊技（１種遊技）を実現するものである。センター役物７の上部には、演出装置５００が配置されている。
【００２６】
演出表示装置７ａは、例えば、液晶表示装置・有機ＥＬディスプレイ・ＬＥＤ等により構成されて遊技者が遊技盤面６ａ側から視認可能となるように配置され、その表示画面上に映像表示を行うものである。この演出表示装置７ａの表示画面には、第１装飾図柄７ｂを含む演出表示がなされる。また、例えば、キャラクタ等によるストーリー仕立ての映像としての演出映像も演出表示装置７ａの表示画面上に表示されるようになっている。
【００２７】
図２は、図１に示すパチンコ機の背面図である。遊技盤６の背面側には、パチンコ機２の全体の制御を行う遊技制御手段としての主制御基板を収容した主制御基板ケース３５と、演出表示装置７ａの画像表示等演出の制御及びセンター役物７、演出装置５００の発光制御を行う演出制御基板を収容した演出制御基板ケース３６と、景品球の払出しを制御する払出制御基板を収容した払出制御基板ケース３７と、電源基板を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００２８】
次いで、図３から図７の図面を参照して、本実施の形態におけるパチンコ機２の要部の構成について詳細に説明する。なお、図３から図７において同一の部材、部位には同一の符号を付し、各図面における説明を省略する場合がある。
【００２９】
図３は、本実施の形態に係るパチンコ機２の球皿１４の整列流路１４０、球抜き部材５０の可動片５１及び整流器６０の一部をパチンコ機２の後面（背面）側から見た斜視図である。なお、後述する整流器６０のうちの後面側カバーを取り外した状態で示している。
【００３０】
本実施の形態における球皿１４は、遊技による賞球や貸し球として払い出される遊技球２３を受容する球受容部１４ｂと球受容部１４ｂの下流側に形成された球整列部１４ｃとを備えている。球受容部１４ｂで受容された遊技球２３は、下流の球整列部１４ｃに流下する間に１列の遊技球２３の列に整列されて、球整列部１４ｃに連結している整列流路１４０へ流下し下流へ導かれる。整列流路１４０の経路には板金カバー１４１が配設されており、整列された遊技球２３が板金カバー１４１上を転動流下する際に遊技球２３に滞留した静電気が除電されるように構成されている。
【００３１】
整列流路１４０の下流には急勾配の斜面１４２が形成されている。整列流路１４０の下り勾配は４度程度に設定されており、一方、斜面１４２の下り勾配は４５度程度に設定されている。この斜面１４２は、整列流路１４０を重力的に安定した状態で断続的に流下する遊技球２３のバランスを不安定にさせる作用を有する。
【００３２】
本実施の形態において斜面１４２の水平方向の長さは、第２の遊技球２３ｂが斜面１４２上に存在するように設定される範囲で適宜選択可能であるが、遊技球２３の半径と略等しくなるように設定されてもよい。斜面１４２の下流には、整列流路１４０を流下する遊技球２３の流路を選択的に変化させるための球抜き部材５０に設けられた可動片５１が前後方向にスライド可能に配設されている。図３は、可動片５１が整列流路１４０の底部を閉塞するように後方にスライドしている状態を示しており、常時は図示の状態を維持している。
【００３３】
そして、遊技者により図１に示すパチンコ機２の前万に配置された球排出ボタン１４ａが押圧操作されると、可動片５１が前方にスライドして整列流路１４０の底部を開放する。可動片５１の前方へのスライド動作によって整列流路１４０の底部が開放されると、可動片５１上に位置していた遊技球２３ａ（第１の遊技球）は自重及び後続の遊技球２３による押圧力により落下して下方の排出経路部材５２を経由して排出される。以降、第１の遊技球２３ａに整列流路１４０の上流側から当接していた第２の遊技球２３ｂ、この第２の遊技球２３ｂの上流側に整列していた遊技球２３が排出経路部材５２を経由して排出される。
【００３４】
整列流路１４０は、可動片５１の下流側で略直角に後方に流路を変えて、流下してきた遊技球２３を整流器６０に導く。可動片５１が整列流路１４０の底部を閉塞している状態で第１の遊技球２３ａが下流側で当接する第３の遊技球２３ｃは、その半分程度が整流器６０に進入した状態となる。
【００３５】
整流器６０は、整列流路１４０に導かれた遊技球２３を受容する開口を備えた前面ケース６１と図示を省略している後面側カバーによって箱状に構成されている。整流器６０の内部には、整流器６０内に導かれた遊技球２３を１個ずつ案内片６６を介して排出口６７から排出するためのクランク６４と、このクランク６４を揺動駆動するためのソレノイド６３を備えている。クランク６４の下部には厚み方向（図３の左右方向）に単極着磁された永久磁石６５が一体成形されており、ソレノイド６３がＯＦＦ状態のときは永久磁石６５の自重によりソレノイド６３の電磁極面に永久磁石６５が当接するように位置し、この状態のときは整流器６０内の遊技球２３は排出されない。
【００３６】
整流器６０のソレノイド６３に図示しない主制御基板から駆動パルス信号が入力されるとソレノイド６３がＯＮして、ソレノイド６３と永久磁石６５の磁気的反発作用によりクランク６４が揺動して１個の遊技球２３が整流器６０から排出され、図示しない発射ユニットに供給されるように構成されている。なお、主制御基板は、遊技者による発射ハンドル１５（図１参照）の操作の有無に応じてソレノイド６３への駆動パルスの出力の要否を判定する。
【００３７】
図４は、本実施の形態に係るパチンコ機２の球抜き機構の要部を拡大して示す図である。図４において説明の便宜上、整列流路１４０上の遊技球２３は球抜き部材５０の可動片５１上の遊技球２３ａ（第１の遊技球）と、この第１の遊技球２３ａに上流側及び下流側で当接する第２の遊技球２３ｂ及び第３の遊技球２３ｃのみを示し、整流器６０の図示は省略している。
【００３８】
図４において符号Ｃ１は第１の遊技球２３ａと第２の遊技球２３ｂとの当接点（第１の当接点）を示し、符号Ｃ２は第１の遊技球２３ａと第３の遊技球２３ｃとの当接点（第２の当接点）を示し、符号Ｃ３は第１の遊技球２３ａと整列流路１４０の側壁１４３との当接点（第３の当接点）を示している。また、符号Ｃｇは第１の遊技球２３ａの中心（重心）を示している。
【００３９】
図４に示されるように、第２の遊技球２３ｂは第１の遊技球２３ａに「寄り掛かって」いる状態である。ここで、同一の比重の球体同士において、この「寄り掛かり量（Ｇ）」を「寄り掛かっている球（例えば２３ｂ）」と「寄り掛かられている球（例えば２３ａ）」の、「互いに当接点（例えばＣ１）に直近で接線となる鉛直線同士の距離」と定義すると、図４に示す第１の遊技球２３ａに対する第２の遊技球２３ｂの寄り掛かり量Ｇは１．０７［ｍｍ］であった。この寄り掛かり量Ｇが大きいほど寄り掛かった球が寄り掛かられた球に作用する下向きの応力が大きい。また、寄り掛かりの角度が異なるので図４には示していないが、第３の遊技球２３ｃ（寄り掛かられている球）に対する第１の遊技球２３ａ（寄り掛かっている球）の寄り掛かり量Ｇは０．２４［ｍｍ］であった。
【００４０】
本実施の形態においては、上記第１、第２及び第３の当接点Ｃ１，Ｃ２及びＣ３を含む平面が、第１の遊技球２３ａの中心Ｃｇを通る鉛直線上において第１の遊技球２３ａの中心Ｃｇよりも上側に位置するように構成されている。この構成により、可動片５１が前方にスライドして整列流路１４０の底部が開放されたとき、落下させたい球である第１の遊技球２３ａは容易に落下し排出経路部材５２から排出される。すなわち、落下させたい球である第１の遊技球２３ａの自重に加えて、第１の遊技球２３ａに作用する第１から第３の当接点Ｃ１〜Ｃ３における応力の合力が第１の遊技球２３ａを落下させる方向に作用する。
【００４１】
図５は、本実施の形態に係る整列流路１４０の要部を説明するための図であり、図６は、図５に示す第１の遊技球２３ａと整列流路１４０の側壁１４３に形成されたテーパ面１４５との位置関係を説明するための要部拡大断面図である。
【００４２】
整列流路１４０の最下流部、すなわち、整列流路１４０と整流器６０の連絡部近傍における整列流路１４０の側壁１４３には、整列流路１４０に導かれて流下してきた遊技球２３の流路を略直角に後方に変位させるための、上面側から見て略円弧状のリブ１４４が形成されている。更に、リブ１４４の下側には下向きのテーパ面１４５が形成されている。ただし、第１の遊技球２３ａの位置にはリブ１４４は形成されておらず、側壁１４３に下向きのテーパ面１４５が連続して形成されている。
【００４３】
図６に示されるように、第１の遊技球２３ａは、整列流路１４０の側壁１４３に形成された下向きのテーパ面１４５に第３の当接点Ｃ３において当接している。このようにテーパ面１４５を形成することにより、第３の当接点Ｃ３の位置を、テーパ面１４５を形成しない場合に比して上方に設定することができる。また、第１の遊技球２３ａがテーパ面１４５から下向きの応力を受けるので、可動片５１が開放動作したときに第１の遊技球２３ａの落下を容易にする。
【００４４】
図７は、第２の遊技球２３ｂに、その上流に整列する多数の遊技球２３による大きな押圧力が作用したときの状態を示す図である。上記整流器６０のソレノイド６３（図３参照）がＯＦＦ状態のときは整流器６０内に完全に受容されている２個の遊技球２３は整流器６０内で留まっている。したがって、図７に示されるように、整流器６０内の遊技球２３に当接している第３の遊技球２３ｃ、及び可動片５１上でこの第３の遊技球２３ｃに当接している第１の遊技球２３ａも下流側に流下（移動）することができずに図示の位置に留まっている。
【００４５】
一方、斜面１４２の作用により重力的に不安定な位置にある第２の遊技球２３ｂは、後続の遊技球による大きな押圧力により整列流路１４０内で上方に押し上げられる。そして、第２の遊技球２３ｂは、整列流路１４０に形成された天井面１４６に当接する位置まで押し上げられて静止する。このとき、第１の当接点Ｃ１も図４に示した位置より高い位置に押し上げられる。このときの第１の遊技球２３ａに対する第２の遊技球２３ｂの寄り掛かり量Ｇは１．７３［ｍｍ］であり、図４に示した寄り掛かり量Ｇの約１．６倍であった。
【００４６】
多数の遊技球２３による過大な押圧力が整流器６０内の遊技球２３に及ぶと、整流器６０の動作が懸念されるが、本実施の形態においては、第２の遊技球２３ｂに作用する大きな押圧力の一部が天井面１４６に分散されるため良好な整流器６０の機能を維持することができる。すなわち、天井面１４６が多数の遊技球２３による大きな押圧力の一部を負担するので、整流器６０に作用する遊技球２３の押圧力を効果的に軽減することができる。
【００４７】
上記説明したように、本発明によれば、球抜き部材５０の可動片５１の近傍で遊技球２３が球詰まりを起こすことを有効に防止することができ、整流器６０の機能を良好に維持することができる遊技機２を提供することができる。
【００４８】
以上、実施の形態を説明したが、本発明はこれらに限定されるものではなく、その要旨の範囲内で様々な変形や変更が可能である。
【符号の説明】
【００４９】
２：パチンコ機（遊技機）
３：遊技機枠
４：外枠（遊技機枠の一部）
５：遊技盤ユニット
６：遊技盤（遊技装置体）
６ａ：遊技盤面
７：センター役物
７ａ：演出表示装置（画像表示手段）
７ｂ：第１装飾図柄
９：機枠（遊技機枠の一部）
１０：前面ガラス（前面透明板）
１４：球皿（球皿）
１４ａ：球排出ボタン
１４ｂ：球受容部
１４ｃ：球整列部
１５：発射ハンドル
１６：遊技領域
２２：ヒンジ部（揺動支持部）
２３：遊技球
２３ａ：第１の遊技球
２３ｂ：第２の遊技球
２３ｃ：第３の遊技球
２６：レール飾り
２６ａ：外レール
２７：遊技釘
２８：普通入賞口
２９：始動入賞口
３０：アウト口
３１：大入賞口
３２：装飾部材
３３：通過ゲート
３４：風車
３５：主制御基板ケース
３６：演出制御基板ケース
３７：払出制御基板ケース
３８：電源基板ケース
３９：外部出力端子板
５０：球抜き部材
５１：可動片
５２：排出経路部材
６０：整流器
６１：前面ケース
６３：ソレノイド
６４：クランク
６５：永久磁石
６６：案内片
６７：排出口
１４０：整列流路
１４１：板金カバー
１４２：斜面
１４３：側壁
１４４：リブ
１４５：テーパ面
１４６：天井面
５００：演出表示装置
Ｃ１：第１の当接点
Ｃ２：第２の当接点
Ｃ３：第３の当接点
Ｃｇ：第１の遊技球の中心
Ｇ：寄りかかり量
【図１】
2012200548.tif 000003
【図２】
2012200548.tif 000004
【図３】
2012200548.tif 000005
【図４】
2012200548.tif 000006
【図５】
2012200548.tif 000007
【図６】
2012200548.tif 000008
【図７】
2012200548.tif 000009